(57)【要約】【課題】冷凍機ユニットにおける熱交換を良好に保ちつつ美観性が良い物品陳列棚に組込み可能な冷凍・冷蔵ショーケースを提供する。【解決手段】保冷室２の下方に基台３が設けられ、基台３の下部機械室３２に冷凍サイクルを行うための冷凍機ユニットの一部である圧縮機及び凝縮器が配設され、基台３の前面の開口６にカバー部材５が設けられ、一対の支柱１１，１１及び物品が載置される棚板１５を有する物品陳列棚１０に組込み可能な冷凍・冷蔵ショーケース１であって、開口６を介して基台３の内外への吸気と排気が行われるとともに、カバー部材５の左右方向における外々寸法Ｗ７は、一対の支柱１１，１１の左右方向における芯々寸法Ｗ６と略同一寸法である。【選択図】図１
2018117980.tif 000002
【特許請求の範囲】
【請求項１】
保冷室の下方に基台が設けられ、該基台の内部に冷凍サイクルを行うための冷凍機ユニットが配設され、前記基台の前面の開口にカバー部材が設けられ、一対の支柱及び物品が載置される棚板を有する物品陳列棚に組込み可能な物品陳列棚に組込み可能な冷凍・冷蔵ショーケースであって、
前記開口を介して前記基台の内外への吸気と排気が行われるとともに、
前記カバー部材の左右方向における外々寸法は、前記一対の支柱の左右方向における芯々寸法と略同一寸法であることを特徴とする物品陳列棚に組込み可能な冷凍・冷蔵ショーケース。
【請求項２】
前記一対の支柱は、下端部に一対の脚部を備えており、
前記基台の下部の左右方向における外々寸法は、前記一対の脚部の左右方向における内々寸法と略同一寸法であり、
前記カバー部材の左右方向における外々寸法は、前記一対の脚部の左右方向における芯々寸法と略同一寸法であり、
前記保冷室の左右方向における外々寸法は、前記一対の支柱の左右方向における内々寸法と略同一寸法であることを特徴とする請求項１に記載の物品陳列棚に組込み可能な冷凍・冷蔵ショーケース。
【請求項３】
前記基台の内外への吸気と排気は、前記開口において左右方向に離間した位置で行われることを特徴とする請求項１または２に記載の物品陳列棚に組込み可能な冷凍・冷蔵ショーケース。
【請求項４】
前記基台の内外への吸気と排気は、前記開口において前記冷凍機ユニットを挟んで左右方向に離間した位置で行われることを特徴とする請求項１ないし３のいずれかに記載の物品陳列棚に組込み可能な冷凍・冷蔵ショーケース。
【請求項５】
前記基台には、前記冷凍機ユニットよりも排気側に前記開口から排気方向に向けて送風する排気ファンが設けられていることを特徴とする請求項１ないし４のいずれかに記載の物品陳列棚に組込み可能な冷凍・冷蔵ショーケース。
【請求項６】
前記基台の内部には、前記開口側を上下方向に亘って左右に仕切る仕切り部材が設けられることを特徴とする請求項１ないし５のいずれかに記載の物品陳列棚に組込み可能な冷凍・冷蔵ショーケース。
【請求項７】
前記保冷室の外部上方には、前記保冷室の上方の棚板裏面に向けて送風する送風ファンを備えることを特徴とする請求項１ないし６のいずれかに記載の物品陳列棚に組込み可能な冷凍・冷蔵ショーケース。
【請求項８】
前記基台の下面にキャスタが設けられていることを特徴とする請求項１ないし７のいずれかに記載の物品陳列棚に組込み可能な冷凍・冷蔵ショーケース。
【発明の詳細な説明】
【技術分野】
【０００１】
本発明は、物品陳列棚に組込み可能な冷凍機内蔵型の冷凍・冷蔵ショーケースに関する。
【背景技術】
【０００２】
冷凍・冷蔵ショーケースは、スーパーマーケット、コンビニエンスストア、デパート等の食品売場等に設置され、日配食品や生鮮食料品等の冷却が必要な商品を陳列するために用いられている。このような冷凍・冷蔵ショーケースには、商品を冷却する保冷室の下方に設けられる基台の内部に冷凍サイクルを行うための冷凍機ユニットが配設される内蔵型ショーケースが知られている。
【０００３】
特許文献１に開示されている内蔵型ショーケース（冷凍・冷蔵ショーケース）は、
前面に開口を有するケース本体と、ケース本体の内方に形成され陳列用の棚板が配設される保冷室と、保冷室の背面側に形成され冷凍サイクルを構成する蒸発器及び冷気循環送風機が配設される冷気循環通路と、ケース本体を適度な高さに保つ台座の機能を有する基台と、基台の内部に配設される冷凍機ユニット（圧縮機、凝縮器、吸排気用送風機等）と、から主に構成され、保冷室の上部に設けられた冷気循環通路の吹出口から保冷室の下部に設けられた冷気循環通路の吸込口に向けて吹き出される冷気によって棚板の前方にエアカーテンが形成されることにより、保冷室内の商品を保冷できるようになっている。
【０００４】
また、冷気循環経路の後方には、上下方向に延びるダクトが形成されており、上端がケース本体の上部後方で開放する吸気口を構成し、下端が基台の内部後方に連通している。さらに、基台の前面に取付けられるキックプレートには、排気口が形成されており、吸気口からダクトを通して取込まれた空気を利用して基台の内部で冷凍機ユニットによる熱交換（放熱）を行い、熱交換後の温められた空気を排気口から基台の外部に排出できるようになっている。
【先行技術文献】
【特許文献】
【０００５】
【特許文献１】特開２００４−１０１１３１号公報（第３頁、第１図）
【発明の概要】
【発明が解決しようとする課題】
【０００６】
しかしながら、特許文献１にあっては、内蔵型ショーケースの吸気と排気が前後上下において異なる位置で行われるため、冷凍機ユニットにおける熱交換を良好に保つためには、吸気と排気それぞれの位置に遮蔽物がないように冷凍・冷蔵ショーケースの配置を工夫する必要があり、冷凍・冷蔵ショーケースを設置可能な場所が制限されていた。例えば、一対の支柱及び物品が載置される棚板から主に構成される物品陳列棚に冷凍・冷蔵ショーケースを組込む場合、冷凍・冷蔵ショーケースの吸気と排気それぞれの位置に遮蔽物がないように配置することが困難であり、かつ単に物品陳列棚に冷凍・冷蔵ショーケースを組込んでも見栄えが悪かった。
【０００７】
本発明は、このような問題点に着目してなされたもので、冷凍機ユニットにおける熱交換を良好に保ちつつ美観性が良い物品陳列棚に組込み可能な冷凍・冷蔵ショーケースを提供することを目的とする。
【課題を解決するための手段】
【０００８】
前記課題を解決するために、本発明の物品陳列棚に組込み可能な冷凍・冷蔵ショーケースは、
保冷室の下方に基台が設けられ、該基台の内部に冷凍サイクルを行うための冷凍機ユニットが配設され、前記基台の前面の開口にカバー部材が設けられ、一対の支柱及び物品が載置される棚板を有する物品陳列棚に組込み可能な冷凍・冷蔵ショーケースであって、
前記開口を介して前記基台の内外への吸気と排気が行われるとともに、
前記カバー部材の左右方向における外々寸法は、前記一対の支柱の左右方向における芯々寸法と略同一寸法であることを特徴としている。
この特徴によれば、基台の前面に設けられる開口に備えられたカバー部材により一対の支柱の前面を覆うことができ、かつ、開口を介して冷凍機ユニットを構成する凝縮器における熱交換（放熱）に必要な空気を外部から内部に吸気するとともに、凝縮器における熱交換により温められた空気を内部から外部に排気することができるため、少なくとも基台の前面外部側を開放させて配置することにより、冷凍機ユニットにおける熱交換を良好に保ちつつ美観性を良く冷凍・冷蔵ショーケースを物品陳列棚に組込み可能である。
【０００９】
前記一対の支柱は、下端部に一対の脚部を備えており、
前記基台の下部の左右方向における外々寸法は、前記一対の脚部の左右方向における内々寸法と略同一寸法であり、
前記カバー部材の左右方向における外々寸法は、前記一対の脚部の左右方向における芯々寸法と略同一寸法であり、
前記保冷室の左右方向における外々寸法は、前記一対の支柱の左右方向における内々寸法と略同一寸法であることを特徴としている。
この特徴によれば、物品陳列棚に組み込むことができる範囲で保冷室の収容スペースを広く確保することができるとともに、正面視における物品収納棚と冷凍・冷蔵ショーケースとの間に隙間が形成されないことから物品収納棚と冷凍・冷蔵ショーケースとの一体感を演出できるため、美観性が良い。
【００１０】
前記基台の内外への吸気と排気は、前記開口において左右方向に離間した位置で行われることを特徴としている。
この特徴によれば、基台の内外への吸気と排気が開口において左右方向に離間した位置で行われるため、基台の開口を介して外部から吸気される空気と、熱交換後に外部に排気される空気とが基台の前面外部側の空間で混合し難くなる。
【００１１】
前記基台の内外への吸気と排気は、前記開口において前記冷凍機ユニットを挟んで左右方向に離間した位置で行われることを特徴としている。
この特徴によれば、基台の内部に開口の左右一方を介して外部から吸気された空気を冷凍機ユニット内もしくは冷凍機ユニット周辺で左右方向に転回させ、開口の左右他方を介して外部に排気することができるため、基台の内部における熱交換の効率が高められる。
【００１２】
前記基台には、前記冷凍機ユニットよりも排気側に前記開口から排気方向に向けて送風する排気ファンが設けられていることを特徴としている。
この特徴によれば、基台の開口を介して熱交換後に外部に排気される空気を排気ファンにより排気方向の遠い位置まで送風することができるため、基台の開口を介して外部から吸気される空気と、熱交換後に外部に排気される空気とが基台の前面側の空間でより混合し難くなる。
【００１３】
前記基台の内部には、前記開口側を上下方向に亘って左右に仕切る仕切り部材が設けられることを特徴としている。
この特徴によれば、仕切り部材により基台の内部の開口側が左右に区画され、基台の内部において空気を左右方向に転回させやすくなるため、基台の開口を介して吸気される空気と排気される空気とが基台の内部において混合し難くなる。
【００１４】
前記保冷室の外部上方には、前記保冷室の上方の棚板裏面に向けて送風する送風ファンを備えることを特徴としている。
この特徴によれば、冷凍・冷蔵ショーケースが上方を棚板に閉塞された状態で配置される場合であっても、送風ファンにより閉塞される上方空間の空気を対流させることができるため、上方空間における空気の滞留を防ぎ、結露の発生を抑えることができる。
【００１５】
前記基台の下面にキャスタが設けられていることを特徴としている。
この特徴によれば、キャスタにより冷凍・冷蔵ショーケースを容易に移動させることができるため、配置の変更を行いやすい。
【図面の簡単な説明】
【００１６】
【図１】実施例における冷凍・冷蔵ショーケースが物品陳列棚の一部に組み込まれるように配置された状態を示す正面図である。
【図２】冷凍・冷蔵ショーケース及び物品陳列棚の構造を示す側面視の断面図である。
【図３】図１の冷凍・冷蔵ショーケースからカバー部材が取外された状態を示す正面図である。
【図４】冷凍・冷蔵ショーケースの基台（下部機械室）の内部における空気の流れを示す上面視の断面図である。
【図５】冷凍・冷蔵ショーケースが物品陳列棚の一部に組み込まれるように配置された状態を示す側面図である。
【図６】２台の冷凍・冷蔵ショーケースが背中合わせに配置された状態を示す側面図である。
【発明を実施するための形態】
【００１７】
本発明に係る冷凍・冷蔵ショーケースを実施するための形態を実施例に基づいて以下に説明する。
【実施例】
【００１８】
実施例に係る冷凍・冷蔵ショーケースにつき、図１から図５を参照して説明する。以下、図１の紙面手前側を冷凍・冷蔵ショーケースの正面側（前方側）とし、その前方側から見たときの上下左右方向を基準として説明する。
【００１９】
本実施例の冷凍・冷蔵ショーケース１は、スーパーマーケット、コンビニエンスストア等において日配食品や生鮮食料品等の商品を保冷した状態で陳列するために設置される。図１に示されるように、冷凍・冷蔵ショーケース１は、上方に設けられ商品（図示略）が冷却・収納されるケース本体２１と、該ケース本体２１の下方に設けられる基台３と、から主に構成され、基台３の内部に形成される機械室３２に収容される冷凍機ユニット３５（後述する圧縮機４３、凝縮器４４、吸排気用送風機４６）、該冷凍機ユニット３５に接続される蒸発器４１及び図示しない膨張弁によって冷凍・冷蔵ショーケース１内で冷凍サイクルが行われることにより、ケース本体２１内に画成される保冷室２内を冷却可能な内蔵型のショーケースである。尚、本実施例において、冷凍・冷蔵ショーケース１は、物品陳列棚１０の一部に組み込まれるように配置されている。さらに尚、物品陳列棚１０の詳細については後述する。
【００２０】
図２に示されるように、ケース本体２１は、撹拌用送風機４８（送風ファン）及びコントローラ４９を備える上部ユニット２０と、断面視略逆Ｌ字状を成す断熱構造の外ケース２２と、その内方において同じく断面視略逆Ｌ字状を成す内ケース２３と、投光性のあるペアガラスで形成されたパネルユニット２７，２７と、から主に構成されており、保冷室２を画成している。
【００２１】
また、ケース本体２１は、ケース本体２１の上端に上部ユニット２０が左右端部に亘って配設され、ケース本体２１の左右両側端それぞれにパネルユニット２７，２７が配設され、ケース本体２１の下部２１ｂの前端上にガラスやアクリル樹脂等で形成されたフロントパネル２８が左右端部に亘って立設され、前面側から上面側にかけて開口を有する箱状に構成されている。
【００２２】
また、ケース本体２１は、内ケース２３の背面部２３ａには、前後に延びるブラケット２４，２４の後端が取付けられ、該ブラケット２４，２４には上方から棚板２５が取付けられている。これにより、保冷室２において、棚板２５及び内ケース２３の底部２３ｂの上面にそれぞれ商品が陳列可能になっている。
【００２３】
また、ケース本体２１の背面側および底面側には、外ケース２２と内ケース２３との間に側部断面視略逆Ｌ字状の冷気循環通路２６が形成され、この冷気循環通路２６内には、冷凍サイクルを構成する蒸発器４１と、該蒸発器４１に向けて空気を送る冷気循環送風機４２とが配設されている。尚、蒸発器４１は、冷媒を利用した冷凍サイクルにより熱交換を行い、その周囲の空気を冷却できるようになっている。
【００２４】
また、ケース本体２１と上部ユニット２０の前端下縁との間には、冷気循環通路２６に連通する冷気の吹出口７Ａが前向きかつ斜め下向きに形成され、内ケース２３の背面部２３ａの下部には、冷気循環通路２６に連通する複数の長孔からなる冷気の吹出口７Ｂが横向きに形成され、ケース本体２１の下部２１ｂの前端上縁には、上方に開口して冷気循環通路２６に連通する冷気の吸込口８が形成されている。
【００２５】
冷凍・冷蔵ショーケース１は、冷気循環通路２６内の冷気循環送風機４２を作動させることにより、蒸発器４１により冷却された冷気が、上方の吹出口７Ａ及び下方の吹出口７Ｂから下方の吸込口８に向けて吹き出されるようになっている。尚、ケース本体２１の下部２１ｂは、上部ユニット２０よりも前方の位置に配置されているため、上方の吹出口７Ａから下方の吸込口８に向けて斜め前方に吹き出されるようになっている。
【００２６】
これによれば、ケース本体２１の前面側の開放面に冷気の気流によりエアカーテンが形成され、その冷気の一部が保冷室２内に流入するとともに、下方の吹出口７Ｂより保冷室２内に流入する冷気により、保冷室２内が冷却された状態を効率よく冷却・維持できるようになっている。また、吸込口８から吸い込まれた冷気は、冷気循環通路２６内に流入して、冷気循環送風機４２により再び蒸発器４１に送られることにより、冷気が効率的に循環するようになっている。
【００２７】
また、フロントパネル２８により上方の吹出口７Ａ及び下方の吹出口７Ｂから吹き出された冷気の一部が吸込口８に案内されるため、ケース本体２１の前面からの冷気の流出が抑制されている。さらに、パネルユニット２７，２７により、ケース本体２１の左右側部からの冷気の流出が抑制され、かつ、ペアガラスの高い断熱性により保冷室２内の冷却効率が高められている。
【００２８】
また、パネルユニット２７，２７は、ペアガラスで形成されているため、側部からであっても保冷室２の視認性が高い。
【００２９】
冷気循環通路２６は、冷気循環通路２６の底面を構成する外ケース２２の底部２２ａに前方の所定位置に図示しない排水部が設けられ、排水部は、後述する機械室３２に配設される図示しない排水処理部に連結されている。尚、冷気循環通路２６の底面は、排水部に向けて下方に傾斜した形状を成しており、冷却に伴って蒸発器４１に付着する霜を除霜した際等に生じる水が傾斜に沿って排水部まで流れやすくなっている。
【００３０】
ケース本体２１の下方に設けられる基台３はその内部に機械室３２を備え、機械室３２に配設される冷媒を利用した冷凍サイクルを構成する冷凍機ユニット３５（後述する圧縮機４３、凝縮器４４、吸排気用送風機４６）と、冷気循環通路２６に配設される蒸発器４１及び図示しない膨張弁とが、冷気循環通路２６と機械室３２に亘って配設される冷媒配管４５によりそれぞれが接続されている。
【００３１】
図３に示されるように、機械室３２は、外ケース２２の底部２２ａを挟んで冷気循環通路２６（図２参照）の下方に設けられ、機械室３２の左右側端部にそれぞれ配設された断熱構造の側板３７，３７と、機械室３２の後部に配設された断熱構造の背面パネル３８と、断熱構造の底板３９と、により前方に開口６を有する箱型に形成されている。
【００３２】
機械室３２には、開口部３４ａ（図４参照）を有する略板状に形成された仕切板３４（仕切り部材）と、冷凍機ユニット３５と、図示しない電装箱と、前述した図示しない排水処理部と、が配設されており、正面から見て機械室３２の略中央には、冷凍機ユニット３５が配設され、冷凍機ユニット３５の左側に開口６から冷凍機ユニット３５にかけて、かつ、外ケース２２の底部２２ａの下端面から底板３９の上端面にかけて仕切板３４が配設されている。尚、仕切板３４の開口部３４ａは、正面から見て後述する凝縮器４４の左側面と略同一形状に形成されており、フィルタ３４ｂ（図４参照。）が脱着可能となっている。さらに尚、フィルタ３４ｂは、仕切板３４に一体形成されていてもよい。
【００３３】
冷凍機ユニット３５は、冷凍サイクルの一部である圧縮機４３及び凝縮器４４と、吸排気用送風機４６（排気ファン）と、を備えている。吸排気用送風機４６は、正面から見て凝縮器４４の右側に配置され、凝縮器４４から圧縮機４３に向かって送風することができる。圧縮機４３は、冷凍サイクルにおいて蒸発器４１で発生した低温低圧の冷媒を圧縮するものであり、凝縮器４４は、冷凍サイクルの冷媒の流れにおいて圧縮機４３の下流側に配置され熱交換を行うものである。
【００３４】
電装箱は、冷凍・冷蔵ショーケース１の動作を制御する図示しない制御装置等が内蔵されるものである。尚、制御装置には、図示しない配線によって上部ユニット２０に配設されているコントローラ４９が接続されている。
【００３５】
また、機械室３２の開口６には、図１，２に示されるように、開口６と略同一範囲内において上下に形成された複数の通気口５ｃが左右方向に８列形成されたカバー部材５が、開口６を被覆するように機械室３２の側板３７，３７前端部に取付けられている。このカバー部材５は、カバー部材５を正面から見て左から３，４列目における複数の通気口５ｃが仕切板３４及び凝縮器４４の略正面部にあたり、シート部材５ｄ（図１参照）によって閉塞されており、カバー部材５を正面から見て左から１，２列目における複数の通気口５ｃが後述する吸気口６Ａの正面部であり、カバー部材５を正面から見て左から５〜８列目における複数の通気口５ｃが後述する排気口６Ｂの正面部である。尚、カバー部材５は、図示しない磁石により側板３７，３７に取り付けられているため、着脱可能となっている。さらに尚、カバー部材５は、磁石により取り付けられる態様に限らず、一部に鉤部を形成し側板３７，３７に鉤部の受部を形成することで側板３７，３７前端部に係止される態様であってもよく、ボルトナットにより側板３７，３７前端部に固定される態様であってもよく、また、機械室３２の側板３７，３７前端部に取付けられる態様に限定するものではない。
【００３６】
図４に示されるように、機械室３２の開口６には、機械室３２において正面から見て仕切板３４の左方に位置する吸気口６Ａと、機械室３２において正面から見て仕切板３４の右方に位置する排気口６Ｂと、がそれぞれ配置されており、吸排気用送風機４６によって、外気が吸気口６Ａより機械室３２内に取り込まれ、機械室３２内の内気が排気口６Ｂより外方に排出される。このとき、吸排気用送風機４６は、吸気口６Ａから遠ざかる方向へ機械室３２内の内気を排出させることができる。さらに、排気される空気は外気よりも熱を帯びていることから上昇しやすい。これらのことから、吸排気用送風機４６は、排気口６Ｂを介して熱交換後に外部に排気される空気を開口６から遠い位置まで送風することができるため、排気される空気が機械室３２の開口６を介して外部から吸気される空気と混合し難い。尚、図４では、説明の便宜上、カバー部材５の図示を省略している。
【００３７】
機械室３２の開口６側は、仕切板３４により左右に区画され、かつ、カバー部材５がシート部材５ｄを備えて設置されていることから、吸気口６Ａ側から排気口６Ｂにかけて上面視下向きコ字状の流路が形成されている。これにより、機械室３２において空気を左から右に転回させ易くなるため、開口６を介して吸気される空気と排気される空気とが機械室３２の内部において混合し難くなる。さらに、吸排気用送風機４６により、機械室３２の開口６に着脱可能に取付けられたカバー部材５の左側から外気が取り込まれ、機械室３２内を左右方向に転回させ、開口６の右側を介して外部に排気することができるため、機械室３２の内部における熱交換の効率が高められる。尚、開口６は、例えばカバー部材５や吸気口６Ａにフィルタを設置し、機械室３２の内部にチリやホコリが侵入し難くしてもよい。
【００３８】
図３，４に示されるように、基台３の左右端下部には、底板３９から各側板３７，３７に亘ってそれぞれにキックプレート５０，５０が固定されており、接触による衝撃から保護されている。
【００３９】
図３に示されるように、冷凍・冷蔵ショーケース１は、機械室３２の底板３９の下部に、４つのキャスタ４，４，…が四隅にそれぞれ配設されており、キャスタ４，４，…により冷凍・冷蔵ショーケース１を移動させることができるため、配置を変更することが容易である。
【００４０】
また、冷凍・冷蔵ショーケース１の両側部には、パネルユニット２７と、キックプレート５０との間に、側板５１がそれぞれ配設されている。
【００４１】
これまで、冷凍・冷蔵ショーケース１について説明してきたが、次いで、図１，３，５を用いて、冷凍・冷蔵ショーケース１と物品陳列棚１０との寸法関係と、冷凍・冷蔵ショーケース１が物品陳列棚１０の一部に組み込まれるように配置される態様について説明する。先ず、物品陳列棚１０について説明する。尚、物品陳列棚１０は、詳しくは後述するが、前後における構成が略同一であるため、前側の説明を行い、後側の説明を省略する。
【００４２】
図１に示されるように、物品陳列棚１０は、左右に配設された支柱１１，１１，…と、該支柱１１，１１，…の下端部より前後にそれぞれ固定される脚部１２，１２，…と、支柱１１，１１，…の間に配設される背板ユニット１６，１６と、から主に構成されている。尚、直接の図示は省略するが、支柱１１，１１，…の上下端部には、巾木及び笠木がそれぞれ配設されている。
【００４３】
左右一対の支柱１１，１１には、前後に延びるブラケット１４，１４の後端が取付けられ、該ブラケット１４，１４には上方から棚板１５が取付けられている。
【００４４】
脚部１２，１２の前部には、キックプレート１３が配設されており、脚部１２，１２及びキックプレート１３には、上方から棚板１７が取付けられている。
【００４５】
また、物品陳列棚１０は、図２に示されるように、支柱１１及び背板ユニット１６を挟んで、前後に略同一の構成を備える物品陳列棚１０である。尚、物品陳列棚１０は、前後の内片側だけにブラケット１４，１４及び棚板１５等を備える態様であってもよく、この態様であれば、壁面に配置することができる。
【００４６】
また、支柱１１及び脚部１２の下面側には、図１，５に示されるように、アジャスタ１８が設けられており、アジャスタ１８の高さをそれぞれ調整することにより、設置場所に関わらず物品陳列棚１０を水平な状態で設置できるようになっている。尚、アジャスタ１８ではなく、キャスタが備えられていてもよい。
【００４７】
物品陳列棚１０に冷凍・冷蔵ショーケース１を設置する際には、物品陳列棚１０のキックプレート１３及び棚板１７を取外し、冷凍・冷蔵ショーケース１の設置の妨げとなるブラケット１４，１４及び棚板１５を取外すことで設置空間Ｓを形成する。
【００４８】
図３に示されるように、冷凍・冷蔵ショーケース１は、冷凍・冷蔵ショーケース１のキックプレート５０，５０の左右方向における外々寸法Ｗ１が、物品陳列棚１０の脚部１２，１２の左右方向における内々寸法Ｗ２よりも短く（Ｗ１＜Ｗ２）設計されている。
【００４９】
また、冷凍・冷蔵ショーケース１は、側板５１，５１の下端面が、物品陳列棚１０の脚部１２，１２の上端面と離間するように設置されている。
【００５０】
これらの構成により、冷凍・冷蔵ショーケース１は、設置空間Ｓの一部を画成する物品陳列棚１０の脚部１２，１２に干渉することがないため、設置空間Ｓに冷凍・冷蔵ショーケース１を設置することができる。
【００５１】
図１に示されるように、パネルユニット２７，２７の左右方向における外々寸法Ｗ３は、物品陳列棚１０の支柱１１，１１の左右方向における内々寸法Ｗ４と略同一寸法（Ｗ３＝Ｗ４）に形成されている。これにより、支柱１１，１１とパネルユニット２７，２７との間に隙間を形成することなく、設置空間Ｓに冷凍・冷蔵ショーケース１を設置することができるため、冷凍・冷蔵ショーケース１と物品陳列棚１０との一体感を演出することができる。
【００５２】
側板５１，５１の左右方向における外々寸法Ｗ５は、支柱１１，１１の左右方向における芯々寸法Ｗ６よりわずかに短い（Ｗ５＜Ｗ６）略同一寸法になるように設計されている。また、外々寸法Ｗ５は、詳しくは後述する冷凍・冷蔵ショーケース１の最大幅である外々寸法Ｗ７と略同一寸法となっている。言い換えれば、冷凍・冷蔵ショーケース１が設置空間Ｓに設置された状態において、支柱１１，１１の前面に形成される左右２列の係止孔は、内側の一列が側板５１，５１と重畳するようになっており、外側の一列が露出した状態となっている。これらのことから、冷凍・冷蔵ショーケース１に隣接する物品陳列棚１０の陳列空間におけるブラケット１４及び棚板１５の取付けに冷凍・冷蔵ショーケース１の両側端部が干渉することがない。尚、脚部１２，１２の左右方向における芯々寸法は、支柱１１，１１の芯々寸法Ｗ６と略同一寸法であるため、脚部１２，１２の左右方向における芯々寸法についても芯々寸法Ｗ６とする。
【００５３】
また、側板５１は、図５に示されるように、前後における外々寸法Ｄ１が物品陳列棚１０の支柱１１の前側面からキックプレート１３の前側面までの寸法Ｄ２と略同一寸法（Ｄ１＝Ｄ２）に設計されている。さらに、側板５１の上部前端縁には、前方に延出する延出部５１ａが形成されており、延出部５１ａを含む前後方向における外々寸法Ｄ３が支柱１１の前側面から棚板１７の前端縁までの寸法Ｄ４と略同一寸法（Ｄ３＝Ｄ４）に設計されている。
【００５４】
これらの構成により、側板５１，５１は、冷凍・冷蔵ショーケース１を設置空間Ｓに配置する際に、側板５１，５１を支柱１１，１１に当接させることで延出部５１ａの前端面と物品陳列棚１０の棚板１７の前端面との設置位置を揃えることができる。
【００５５】
図１に示されるように、カバー部材５の前端面は、外ケース２２の下端縁から物品陳列棚１０の脚部１２の下端縁にかけて、外ケース２２の前端面と上下方向に略同一面を成すように、被覆できるように設計されている。これにより、カバー部材５の下端縁は、機械室３２を形成する底板３９の下端縁よりも下方に位置している。
【００５６】
また、カバー部材５は、前端面と側板５１，５１の前端面とが左右方向に略同一面となるように設計されている。
【００５７】
これらの構成により、基台３の前端面は、上下方向に略同一面が形成されているため、美観性がよい。
【００５８】
また、カバー部材５は、両側端部それぞれの下端部が外方に延出され形成された延出部５ａ，５ｂであり、延出部５ａ，５ｂの高さ寸法Ｔ１は、物品陳列棚１０の脚部１２の高さ寸法Ｔ２と略同一寸法（Ｔ１＝Ｔ２）に形成されている。これにより、冷凍・冷蔵ショーケース１は、カバー部材５を装着した状態で設置空間Ｓに設置することで、延出部５ａ，５ｂの上下端縁と脚部１２，１２の上下端縁が水平方向に略同一面を形成するように設計がなされている。
【００５９】
また、カバー部材５の延出部５ａ，５ｂの左右方向における外々寸法Ｗ７は、冷凍・冷蔵ショーケース１の最大幅であり、支柱１１，１１及び脚部１２，１２の左右方向における芯々寸法Ｗ６よりわずかに短い（Ｗ７＜Ｗ６）略同一寸法に形成され、支柱１１，１１の左右方向における内々寸法Ｗ４よりも長く（Ｗ７＞Ｗ４）形成されている。尚、外々寸法Ｗ７は、外々寸法Ｗ５と略同一寸法（Ｗ７＝Ｗ５）となっている。
【００６０】
また、カバー部材５は、前端面と側板５１，５１の前端面とが左右方向に略同一面を形成していることから、側板５１，５１を物品陳列棚１０の支柱１１，１１に当接させ冷凍・冷蔵ショーケース１を設置空間Ｓに配置すると、カバー部材５がキックプレート１３と左右方向に略同一面を形成する。
【００６１】
また、カバー部材５の延出部５ａ，５ｂは、外々寸法Ｗ７であり、支柱１１，１１の左右方向における芯々寸法Ｗ６よりもわずかに短いことから、キックプレート１３とともに冷凍・冷蔵ショーケース１との間の脚部１２の前端面をわずかな隙間を残して覆うことができるため、キックプレート１３の近接する側部に干渉することがない。
【００６２】
また、カバー部材５は、冷凍・冷蔵ショーケース１に装着されることで底板３９の下端面よりも下方に位置していることから、キャスタ４，４，…の上下略中央より上方を覆うことができる。
【００６３】
尚、カバー部材５は、冷凍・冷蔵ショーケース１に装着した際、側板５１，５１それぞれの内側縁と下端縁及び外ケース２２の下端縁よりわずかに離間するように設計されている。これにより、カバー部材５は、機械室３２の開口６より離脱させることが容易となっている。
【００６４】
これまで説明してきたように、冷凍・冷蔵ショーケース１は、物品陳列棚１０に形成した設置空間Ｓに設置可能な範囲で保冷室２の物品の収容スペースを広く確保することができるとともに、物品陳列棚１０に形成した設置空間Ｓに設置することで、物品陳列棚１０との間に隙間が形成されにくく、また略同一面を形成するように各部が形成されていることから、物品陳列棚１０の一部に組み込まれるように配置することができる。このとき、冷凍・冷蔵ショーケース１と物品陳列棚１０との一体感が演出できるため、美観性が良い。
【００６５】
また、冷凍・冷蔵ショーケース１を物品陳列棚１０の一部に組み込まれるように配置することにより、保冷が必要な商品と常温保存可能な商品とを、同一の物品陳列棚１０に陳列可能であるため、購入者が商品の選択購入を容易に行うことができる。
【００６６】
以上説明してきたように、冷凍・冷蔵ショーケース１は、基台３の前面に設けられる開口６に備えられたカバー部材５により一対の支柱１１，１１の前面を覆うことができ、かつ、開口６を介して外部から空気を吸入し、冷凍サイクルを構成する凝縮器４４を冷却し、凝縮器４４における熱交換により温められた空気を機械室３２の内部から外部に排気しているため、少なくとも基台３の前面側を開放させて配置することにより、冷凍サイクルにおける熱交換を良好に保ちつつ美観性を良く冷凍・冷蔵ショーケース１を物品陳列棚１０に組込み可能である。
【００６７】
また、機械室３２を形成する外ケース２２の底部２２ａ、側板３７，３７、背面パネル３８、底板３９は、それぞれ断熱構造を備えていることから、機械室３２内で発生した熱が機械室３２の開口６以外から放熱され難いため、冷凍・冷蔵ショーケース１の両側部及び後方に壁や物品陳列棚等を当接させて設置することができる。これにより、物品陳列棚１０から分離して単独あるいは複数個を隣接して設置されてもよく、例えば、図６に示されるように、２台の冷凍・冷蔵ショーケース１，１を背中合わせに設置してもよい。さらに、冷凍・冷蔵ショーケース１の前面側の空間は、冷凍・冷蔵ショーケース１内にアクセスするために必要な空間であり、言い替えればアクセスするために必要な空間さえ確保できれば冷凍・冷蔵ショーケース１を設置することできる。これらにより、冷凍・冷蔵ショーケース１は、省スペースでも設置可能であり、空間を有効に活用することができる。
【００６８】
また、保冷室２の外部上方に配設される上部ユニット２０は、保冷室２の上方に向けて送風する撹拌用送風機４８を備えているため、例えば、冷凍・冷蔵ショーケース１の上方が棚板１５によって閉塞された状態で配置される場合であっても、撹拌用送風機４８により閉塞される上方空間の空気を対流させることができるため、上方空間における空気の滞留を防ぎ、結露の発生を抑えることができる。尚、撹拌用送風機４８による送風が不要な際、例えば、撹拌用送風機４８の上方が開放された使用状態の際には、撹拌用送風機４８を停止してよい。
【００６９】
また、冷凍・冷蔵ショーケース１は、機械室３２に冷凍機ユニット３５が備えられていることから冷凍・冷蔵ショーケース１の重心が低くなっている。これにより、冷凍・冷蔵ショーケース１の重心が安定するため、保冷室２に商品を陳列しても転倒しにくく、移動時においても冷凍・冷蔵ショーケース１を安定して移動させることができる。
【００７０】
以上、本発明の実施例を図面により説明してきたが、具体的な構成はこれら実施例に限られるものではなく、本発明の要旨を逸脱しない範囲における変更や追加があっても本発明に含まれる。
【００７１】
例えば、前記実施例では、冷凍・冷蔵ショーケース１は、吸排気用送風機４６を備える態様として説明したが、これに限らず、吸気用送風機及び排気用送風機がそれぞれ備えられている態様であってもよい。この態様であれば、吸気口６Ａに吸気口６Ａと略平行に吸気用送風機を備え付け、排気口６Ｂに正面から見て右斜め前方向きに排気用送風機を備え付けることで、外気及び内気の循環効率を高めることができると共に、排気用送風機により開口６から遠い位置まで排気を送ることができることから、吸気口６Ａに吸気される空気に混ざりにくい。尚、吸気用送風機及び排気用送風機が左右方向に回動可能に取り付けられていてもよい。さらに尚、排気用送風機は、排気口６Ｂと略平行に備え付けられていてもよく、この態様であれば、冷凍・冷蔵ショーケースの左右方向に他の冷凍・冷蔵ショーケースを隣接して複数配置することができる。
【００７２】
パネルユニット２７，２７は、ペアガラスで形成された態様として説明したが、これに限らず、断熱構造を備える金属板材であってもよく、アクリル樹脂で形成されていてもよい。
【００７３】
冷凍・冷蔵ショーケース１は、キャスタ４，４，…だけでなく、複数のアジャスタを備える態様であってもよい。この態様であれば、複数のアジャスタの高さをそれぞれ調整することにより、設置場所に関わらず冷凍・冷蔵ショーケース１を水平な状態で設置することができる。
【００７４】
コントローラ４９は、上部ユニット２０に備え付けられている態様として説明したが、これに限らず、ケース本体２１の下部２１ｂの前端面や機械室３２内に備えられていてもよく、上部ユニット２０に限定するものではない。
【００７５】
フロントパネル２８は、アクリル樹脂で形成されている態様として説明したが、これに限らず、断熱構造を備える金属板材であってもよく、ペアガラスで形成されていてもよい。
【００７６】
カバー部材５は、冷凍・冷蔵ショーケース１に装着した際、側板５１，５１それぞれの内側縁と下端縁及び外ケース２２の下端縁よりわずかに離間するように設計されている態様として説明したが、これに限らず、当接するように設計されていてもよい。
【００７７】
また、カバー部材５は、開口６と略同一範囲内に複数の通気口５ｃが形成された態様として説明したが、これに限らず、吸気口６Ａ及び排気口６Ｂの略前面側にのみ形成されていてもよく、排気口６Ｂ側のより広い範囲に複数の通気口５ｃが形成されていてもよい。さらに、複数の通気口５ｃが形成される方向によって、吸気される外気及び排気される内気の送風方向を案内する態様であってもよい。尚、シート部材５ｄに関しては、複数の通気口５ｃの形状及び配置に合わせて配置すればよく、不要であれば使用しないでもよい。
【００７８】
仕切板３４は、正面から見て冷凍機ユニット３５の左側に配設されている態様として説明したが、これに限らず、正面からみて冷凍機ユニット３５の略中央部や右側に配置されていてもよく、前方から冷凍機ユニット３５の正面側端面に亘って配置されていてもよい。また、略板状に形成された態様として説明したが、これに限らず、左右幅が肉厚に形成されたブロック状であってもよく、複数の仕切板が配置されていてもよい。さらに、カバー部材５と一体になっていてもよい。
【符号の説明】
【００７９】
１              冷蔵ショーケース
２              保冷室
３              基台
４              キャスタ
５              カバー部材
６              開口
１０            物品陳列棚
１１            支柱
１２            脚部
１５            棚板
３４            仕切板（仕切り部材）
３５            冷凍機ユニット
４７            吸排気用送風機（排気ファン）
Ｗ１            外々寸法
Ｗ２            内々寸法
Ｗ３            外々寸法
Ｗ４            内々寸法
Ｗ６            芯々寸法
Ｗ７            外々寸法
【図１】
2018117980.tif 000003
【図２】
2018117980.tif 000004
【図３】
2018117980.tif 000005
【図４】
2018117980.tif 000006
【図５】
2018117980.tif 000007
【図６】
2018117980.tif 000008